(57)【要約】【課題】バックフォーカス調整を簡単かつ確実にできるようにする。【解決手段】前レンズ群２及び後レンズ群３と、前レンズ群２をガイド機構を介し前筒部２前後へ可動するフォーカスリング６と、後レンズ群３をガイド機構を介し後筒部３前後へ可動するズームリング７とを備えていると共に、カメラ本体４０に対しボードマウント５６を介し取り付けられるバリフォーカルレンズ１において、ズームリング７の配置部３８に略定角度づつ回転操作可能に保持されて、偏芯した先端軸部１２を内側へ貫通している調整用偏芯ピン１０と、後筒部３の周囲方向に設けられて、先端軸部１２を周方向の対応当て付け端面３５ａに当接する溝部３５とを有している。そして、偏芯ピン１０の回転操作により、先端軸部１２の位置変位に応じて後レンズ群３を可動させてバックフォーカス調整を行えるようにした。【選択図】        図２
2005043494.tif 000002
【特許請求の範囲】
【請求項１】
鏡筒に組み込まれる前レンズ群及び後レンズ群と、前記前レンズ群をガイド機構を介し前記鏡筒の前筒部前後へ可動するフォーカスリングと、前記後レンズ群をガイド機構を介し前記鏡筒の後筒部前後へ可動するズームリングとを少なくとも備えていると共に、カメラ本体に対しボードマウントを介し取り付けられるバリフォーカルレンズにおいて、
前記ズームリングに設けられた配置部に略定角度づつ回転操作可能に保持されて、偏芯した先端軸部を該ズームリング内側へ貫通している調整用偏芯ピンと、前記鏡筒の後筒部周囲方向に設けられて、前記偏芯ピンの先端軸部を周方向の対応当て付け端面に当接する溝部とを有しており、
バックフォーカス調整として、前記偏芯ピンの回転操作により、前記先端軸部の位置変位に応じ前記後レンズ群を可動調整可能にしたことを特徴とするバリフォーカルレンズ。
【請求項２】
前記配置部は窪み部及び該窪み部の略中心に設けられた貫通孔並びに該窪み部の内底面に設けられて山及び谷を連結している凹凸部を有し、前記偏芯ピンは径大頭部及び該頭部下端面の片側に突設された前記先端軸部並びに該頭部の周囲下側に設けられて前記凹凸部とクリック嵌合する凹凸部とを有している請求項１に記載のバリフォーカルレンズ。
【請求項３】
前記窪み部に配置された前記偏芯ピンを下向きに付勢し、かつ前記頭部を回転操作可能に露出配置する板ばねを有している請求項１に記載のバリフォーカルレンズ。
【請求項４】
前記偏芯ピンが前記頭部に嵌合溝を有し、前記板ばねが前記嵌合溝を露出する開口を形成している請求項３に記載のバリフォーカルレンズ。
【請求項５】
前記カメラ本体が回路基板に装着した撮像素子を有し、前記ボードマウントが前記撮像素子を内部に挿入した状態で前記回路基板に固定され、前記鏡筒が前記ボードマウントに対し前記後筒部の一部を挿入した状態で固定される請求項１から４の何れかに記載のバリフォーカルレンズ。
【発明の詳細な説明】
【０００１】
【発明の属する技術分野】
本発明は、監視用カメラなどに用いられるバリフォーカルレンズに関する。
【０００２】
【従来の技術】
バリフォーカルレンズは、機能及び価格等の点から、固定焦点レンズと、焦点距離を随時可変させるズームレンズとの中間に位置し、監視用カメラに多用されて画角及びフォーカスを使用箇所への設置時に調整する。構造は、本発明を適用した図２で説明すると、鏡筒を構成している前後筒部２，３と、該前後筒部に前後動自在に組み付けられる前レンズ群４及び後レンズ群５と、前筒部２に対し前レンズ群４をガイド機構を介し前後調整するフォーカスリング６と、後筒部３に対し後レンズ群５をガイド機構を介し前後調整するズームリング７を備えている。また、バリフォーカルレンズは、カメラ本体との間にマウントを介し取り付けられる。このマウント構造は、カメラ本体のレンズ装着部に螺合により取り付けられるＣ（及びＣＳ）マウント方式（特許文献１，２）と、カメラ本体のレンズ装着部に止め具により取り付けられるボードマウント方式とがある。前者は、後者に比べてバックフォーカス調整を行い易いが、雄・雌ねじ加工を施すため複雑高価となる。ここで、バックフォーカス調整では、例えば、図６（ｂ）の模式図のように、ワイド（ズーミング可能範囲で一番広い面積を映す縮小画面）及びテレ（反対の拡大画面）の各状態でピントを合わせたとき、レンズ６０を通った光がカメラ本体側の撮像素子４４に合焦するジャストピント位置０より若干後方ｍ１、つまり余裕がある状態で戻せばジャストピント位置０となる状態、つまりオーバーインフを満たすようにする。具体的には、カメラ本体へのレンズ取付工程等でオーバーインフを確認し、オーバーインフを満たさない場合、次のようなる修正作業が行われる。
【０００３】
なお、図６（ａ）は、前記ボードマウントを介しカメラ本体に取り付けられる従来のバリフォーカルレンズ５０及び前記修正作業を示している。同図において、符号５１は絞り羽根装置、符号５２は図２の６に対応したフォーカスリングと、符号５３は図２の７に対応したズームリング、符号５４，５５は各リング５２，５３を対応前後筒部６２，６３に止める固定ねじである。カメラ本体４０は、筐体４１の前開口に対応して内設された回路基板４２と、回路基板４２に装着されてフイルター４３及びＣＣＤ等の撮像素子４４等を保持している筒部４５とを有している。ボードマウント５６は、筒部４５を内側に入れた状態で回路基板４２に対し止め具５７で取り付けられる。また、従来のレンズ構造では、バリフォーカルレンズ５０（後筒部６２の周囲段差端面）とボードマウント５６（先端面）との間にＬ寸法だけ間隔を持たせて設計されており、該間隔Ｌを調整してオーバーインフとなるよう修正作業が行われる。この作業では、同（ｃ）の側面と（ｄ）の正面図に示されるような薄板状の冶具７０が使用されることもある。すなわち、最初は、冶具７０として厚さ１ｍｍのものを間隔Ｌに差し込んでオーバーインフを確認する。オーバーインフを満たさない場合は、それよりも薄い冶具７０を使用して再びオーバーインフを確信する。これをオーバーインフを満たすまで行う。
【０００４】
【特許文献１】
特開２０００−２１４３６９号公報
【特許文献２】
特開２００１−１２５１６３号公報
【０００５】
【発明が解しようとする課題】
上記従来の修正作業は、隙間Ｌが極小さく微調整であるため、又、ワイド及びテレの各状態でオーバーインフを確認しなが行うため、熟練を必要としたり、冶具７０を使用しても時間がかかっている。また、従来構造では、以上の修正作業によりカメラ組立手順等が制約されることも起きるため、例えば、バリフォーカルレンズ５０をカメラ本体４０のボードマウント５６に固定した後、修正作業を行えるようにして組立手順の自由度を拡大したいという要望もある。
【０００６】
本発明は以上のような背景に鑑み開発されたものである。その目的は、上記したバックフォーカス調整を簡単かつ確実に行うことができ、又、バリフォーカルレンズをボードマウントに固定した状態で前記の修正作業を行えるようにして組立手順的な制約を解消することにある。他の目的は以下の内容説明の中で明らかにする。
【０００７】
【課題を解決するための手段】
上記目的を達成するため本発明は、図面の例で特定すると、鏡筒に組み込まれる前レンズ群２及び後レンズ群３と、前記前レンズ群２をガイド機構を介し前記鏡筒の前筒部前後へ可動するフォーカスリング６と、前記後レンズ群３をガイド機構を介し前記鏡筒の後筒部前後へ可動するズームリング７とを少なくとも備えていると共に、カメラ本体４０に対しボードマウント５６を介し取り付けられるバリフォーカルレンズ１において、前記ズームリング７に設けられた配置部３８に略定角度づつ回転操作可能に保持されて、偏芯した先端軸部１２を該ズームリング内側へ貫通している調整用偏芯ピン１０と、前記鏡筒の後筒部周囲方向に設けられて、前記偏芯ピン１０の先端軸部１２を周方向の対応当て付け端面３５ａに当接する溝部３５とを有しており、バックフォーカス調整として、前記偏芯ピン１０の回転操作により、前記先端軸部の位置変位に応じ前記後レンズ群３を可動調整可能にしたことを特徴としている。なお、本発明の偏芯ピンは、先端軸部がピンの中心軸線上から偏芯して設けられており、偏芯ピンを回転すると、該先端軸部の位置が変わるピンである。
【０００８】
以上のレンズ構造は、バックフォーカス調整を偏芯ピンの回転操作により行えるようにしたものであり、例えば、上記オーバーインフを満たさない場合、偏芯ピンを所定角度づつ回転しながら修正可能にしたものである。修正原理は、偏芯ピンを所定角回転すると、該偏芯ピンの先端軸部が偏芯度合いに応じて位置を変えて（後筒部側溝部の当て付け端面に対する位置を変更して）、ズームリングを鏡筒の後筒部に対し回転し、該回転によりガイド機構を介し後レンズ群を光軸方向へ動かしてオーバーインフを充足させる。なお、ズームリングのズーミング設計角度は、該偏芯ピンの回転に伴う（先端軸部の位置変更分）角度変化分だけ平行回転されて、ズームリングが図１（ｂ）のワイドとテレとの間の設計回転角ａを維持し、鏡筒に対し回転方向だけが偏芯ピンの回転角（先端軸部の位置変更分）に応じてａ１からａ２の範囲でずれることになる。以上の利点は、従来修正作業のように熟練を必要とせず、容易かつ迅速に行うことができ、同時に図１（ａ）のごとくカメラ本体側のボードマウントに固定した状態で行えるようにして作業手順的な制約を解消可能にする。
【０００９】
・請求項２は鏡筒の後筒部側の配置部及びズームリングに付設される偏芯ピンの具体例を特定したものである。この構造は、偏芯ピンが窪み部内に入れられて、互いの凹凸部によりクリック作用を伴って回転され、又、凹凸部を形成している山と谷とのピッチに対応した角度づつ回転されるため、修正作業において偏芯ピンを前記ピッチに対応した角度づつ確実に回転可能にして偏芯ピンの先端軸部位置を可変する。この結果、後レンズ群が偏芯ピンの回転でズームリングの回転を伴って光軸方向へ動かされる。
・請求項３は偏芯ピンの保持構造例を特定したものである。この構造では、板ばねを付設するだけで偏芯ピンを回転可能かつ確実に弾性保持可能にする。
・請求項４は、前記板ばねを付設した場合に偏芯ピンをどの様に回転操作するかを明瞭化したものである。板ばねは、取付部（１６）及び開口部（１７）を有し、開口部を偏芯ピンの頭部に押し付けるだけで偏芯ピンの回転操作を損なうことなく、弾性保持可能にする。
・請求項５はバリフォーカルレンズとカメラ本体及びボードマウントとの関係を明瞭化したものである。但し、本発明のバリフォーカルレンズは、カメラ本体にボードマウント（カメラ本体の装着部に対し螺合以外の止め具により固定される構成）を介し取り付けられれば、これ以外のカメラ本体でも差し支えない。
【００１０】
【発明の実施の形態】
本発明の実施形態を図１から図５により説明する。図１は本発明を適用したバリフォーカルレンズを示し、同（ａ）はカメラ本体との関係を示す模式側面図（便宜上、固定ねじ９Ａを省略した）、同（ｂ）は前側より見た正面図である。図２は前記バリフォーカルレンズを拡大して示す下側の半断面図である。図３は前記バリフォーカルレンズの構成部材の関係を示す模式構成図である。図４はズームリング側の要部を拡大して示し、同（ａ）は偏芯ピンと窪み部との関係図、同（ｂ）は偏芯ピンの組込状態図である。以下の説明では、全体の概要、レンズ構造、修正特徴の順に詳述する。
【００１１】
（概要）図１〜図４に示すバリフォーカルレンズ１は、鏡筒を構成している前筒部２及び後筒部３と、前筒部２内に配置される前レンズ群４と、後筒部３内に配置される後レンズ群５と、前筒部２に組み込まれて前レンズ群４をガイド機構を介し前筒部２の前後へ可動調整するフォーカスリング６と、後筒部３に組み込まれて後レンズ群５をガイド機構を介し後筒部３の前後へ可動調整するズームスリング７と、前後筒部２，３の間に配設されている絞り装置８と、フォーカスリング６の回転を止める固定ねじ９Ａと、ズームスリング７の回転を止める固定ねじ９Ｂとを備え、カメラ本体４０に対しボードマウント５６を介し取り付けられる点で従来構造とほぼ同じ。要部は、特に、ズームリング６に付設された偏芯ピン１０及び板ばね１５と、該偏芯ピン１０に対応して後筒部３に設けられた溝部３５とを有し、偏芯ピン１０の回転操作によりバックフォーカス調整時の上記した修正を行えるようにした点にある。従って、図面上は、カメラ本体４０及びボードマウント５６に図６と同じ符号を付している。カメラ本体４０は、筐体４１の前開口に対応して内設された回路基板４２と、回路基板４２に装着されてフイルター４３及びＣＣＤ等の撮像素子４４等を保持している筒部４５とを有している。ボードマウント５６は、略矩形の筒部５６ａ及び略円形の筒部５６ｂからなる。筒部５６ａは、筒部４５を内側に入れた状態で回路基板４２に対し止め具５７で取り付けられる。筒部５６ｂは従来より少し短く形成され、後筒部３の対応部を差し込んで止め具５８で取り付けられる。なお、形態例はレンズが２群であるが、例えば、前レンズ群４と後レンズ群５との間に１以上の固定レンズ群を付設する全３群以上の形式でもよい。
【００１２】
（レンズ構造）前記鏡筒は、図３のごとく、前筒部２及び後筒部３が嵌め合い構造にて一体に結合されている。このうち、前筒部２は、外周が前側の径大部２０を除いてほぼ同じ寸法、内周が後側の径小部２１を除いてほぼ同じ寸法に形成された筒部材である。周囲には、径大部２０の手前と径小部２１の手前との間に複数（この例では３つ）の案内溝２３が周囲等分するよう設けられている。後端側には、径小部２１の一部を欠如した切欠部２１ａ及び端面に設けられた複数の取付孔２１ｂが設けられている。これに対し、後筒部３は、外周が前側の径大フランジ部３０及び後側の径小筒部３１を除いてほぼ同じ寸法、内周が径小筒部３１の内径を除いてほぼ同じ寸法に形成された筒部材である。周囲には、フランジ部３０の手前と径小筒部３１の手前との間に複数（この例では３つ）の案内溝３３が周囲等分するよう設けられている。フランジ部３０は、上側に間隔を保って設けられている対の突起３３と、該突起３３同士の間にある筒部分を上下貫通している不図示の導入穴と、フランジ部３０の後端に設けられている複数の取付孔３０ａを有している。径小筒部３１は、最小内径を形成し、外周に位置決め突起３４ａ等を有している。該突起３４ａは、後筒部３をボードマウント５６に取り付ける際、径小筒部３１を筒部５６ｂ側の対応凹部に嵌合して位置決めする。そして、バリフォーカルレンズ１（後筒部３）は、その位置決め状態で止め具５８（図２参照）が筒部５６ｂの取付孔５６ｃより螺入されて径小筒部３１に係止されることにより取り付けられる。
【００１３】
また、後筒部３には、径小筒部３１の手前にあって周方向に溝部３５が設けられている。溝部３５は、後筒部３の軸線上と略同心で、筒周方向に長くなった略矩形の溝形状をなし、筒周方向に対向している各端面３５ａが偏芯ピン１０に対する突き当て端面となる。溝部３５は、凹状であるが、筒を貫通していてもよい。端面３５ａ同士の間隔又は軸線上からの角度は、図１（ｂ）のワイドとテレとの間の設計回転角ａと一致している。つまり、後述する偏芯ピン１０との関係では、両端面３５ａの一方がワイド位置に対応し、他方がテレ位置に対応している。
【００１４】
以上の鏡筒には、図２のごとく前筒部２に対し前レンズ群４とフォーカスリング６とが組み付けられ、後筒部３に対し後レンズ群５とズームスリング７とが組み付けられる。このうち、前レンズ群４は前枠２５内に複数のレンズ２６を装着し、後レンズ群５は後枠２７に複数のレンズ２８を装着した構成である。図面上はレンズの一部のみ図示している。前後枠２５，２７には、前記案内溝２３，３３に嵌合する軸２９ａ，２９ｂが各案内溝と対応する数だけそれぞれ設けられている。そして、前レンズ群４は、前筒部２に対し各軸２９ａを対応案内溝２３の内側より外へ突出した状態で光軸方向へ可動自在に組み込まれる。後レンズ群５は、後筒部３に対し各軸２９ｂを対応案内溝３３の内側より外へ突出した状態で光軸方向へ可動自在に組み込まれる。
【００１５】
フォーカスリング６は、内周に設けられた複数の案内溝（湾曲したカム側案内溝）３６及び固定ねじ９Ａを外より内周へ突出する取付孔６ａを有している。ズームリング７は、内周に設けられた複数の案内溝（湾曲したカム側案内溝）３７及び固定ねじ９Ｂを外より内周へ突出する取付孔７ａと共に、外周に設けられて偏芯ピン１０及び板ばねを組み込むための配置部３８を有している。固定ねじ９Ａ，９Ｂは、例えば、バリフォーカルレンズ１がカメラ本体４０に取り付けられて製品化され、目的の場所にカメラを設置する段階でフォーカス及び画角調整後にその状態を保つため使用される。案内溝２３，３６同士、及び案内溝３２，３７同士の溝関係は、一方が直線溝で他方が湾曲した非直線溝であればよい。
【００１６】
以上のフォーカスリング６は、前筒部２に対し内蔵されている前レンズ群４の各軸２９ａを案内溝３６に合わせた状態で組み込まれる。該組立状態では、フォーカスリング６を回転すると、前レンズ群４が軸部２９ａと案内溝２３及びカム側案内溝３６によるガイド機構を介して光軸方向に連動して可動される。同様に、ズームリング７は、後筒部６に対し内蔵されている後レンズ群５の各軸２９ｂを案内溝３７に合わせた状態で組み込まれる。該組立状態では、ズームリング７を回転すると、後レンズ群５が軸部２９ｂと案内溝３２及びカム側案内溝３７によるガイド機構を介して光軸方向に連動して可動される。なお、フォーカスリング６及びズームリング７の回転角ａは、ほぼ同じくなるよう設定され、前後レンズ群４，５がそれぞれ独立して設計上のワイド位置からテレ位置まで前後へ可動される。
【００１７】
また、ズームリング７の配置部３８は、図４のごとく外周に突設され、内側にあって筒周方向に並んでいる第１窪み部３８ａ及び第２窪み部３８ｂを有している。第１窪み部３８ａは、底面中心に設けられた貫通孔３８ｃと、底面に設けられた凹凸部３９とからなる。凹凸部３９は、第１窪み部３８ａの底面から少し下側に向けて刻設され、かつ、貫通孔３８ｃを中心する周囲に山及び谷を連結して形成した構成である。第２窪み部３８ｂは、第１窪み部３８ａの底面より少し深く形成され、又、取付孔３９ｄを貫通形成している。
【００１８】
そして、配置部３８には偏芯ピン１０及び板ばね１５が組み込まれる。偏芯ピン１０は、第１窪み部３８ａに回転自在に入れられる径大頭部１１と、該頭部１１の下端面にあって中心の軸線上から変位して片側に突設された先端軸部１２と、該頭部１１の周囲下側に設けられた凹凸部１３とを一体に有している。頭部１１には、図１のようにドライバー７１等を係止する操作用の嵌合溝１１ａが外端面に設けられている。先端軸部１２は、第１窪み部３８ａの貫通孔３８ｃに充分な余裕を持って差し込まれる。凹凸部１３は、頭部１１の下側周囲を径小段差にし、かつ、該径小段差端面に前記した凹凸部３９とクリック嵌合する山及び谷を連結して形成した構成である。板ばね１５は、第１窪み部３８ａ及び第２窪み部３８ｂに対応した段差を持つ形状で、第２窪み部３８ｂに配置される部分１６が基端となり、第１窪み部３８ａに配置される部分１７が付勢側に設定されている。部分１６には挿通孔１６ａが設けられ、部分１７には前記嵌合溝１１ａを露出する開口１７ａが設けられている。そして、この構造では、偏芯ピン１０を第１窪み部３８ａに挿入した後、板ばね１５を両窪み部３８ａ，３８ｂに配置する。
この状態から、板ばね１５は、止めねじ１８が板ばね１５の挿通孔１６ａより第２窪み部３８ｂの取付孔３９ｄに螺入操作されて係止される。すると、偏芯ピン１０は、板ばね１５の部分１７により下向きに付勢されて、該付勢力により凹凸部３９に対する凹凸部１３のクリック嵌合を維持して、第１窪み部３８ａに対し略定角度づつ回転操作可能に保持される。この例では、凹凸部３９又は／及び凹凸部１３が概略冠歯車形であり、偏芯ピン１０が１回転する間に８箇所でクリック嵌合するにしている。但し、凹凸部３９と凹凸部１３とは、例えば、一方が山と谷とを連続した凹凸形状で、他方が該形状にクリック嵌合可能な複数の爪等でもよい。
【００１９】
以上の前組立体（前筒部２、前レンズ群４、フォーカスリング６）と、後組立体（後筒部３、後レンズ群５、ズームリング７）とは、前筒部２の後側と後筒部３の前側とが嵌め合わされた状態にされ、不図示の止めねじがフランジ部３０側より取付孔３０ａから取付孔２１ｂに螺入操作されることで一体化される。その際は、絞り羽根装置８が突起３３同士の間にある導入穴より挿入されて、不図示の止めねじ等により取り付けられる。これにより、バリフォーカルレンズ１が組み立てられる。なお、絞り羽根装置８は、複数枚の絞り羽根を自動で開閉するタイプであるが、特許文献１の手動式にして簡略化を図るようにしてもよい。
【００２０】
（作動）バリフォーカルレンズ１は、図２の状態において、前レンズ群４及び後レンズ群５が上記したようにフォーカスリング６及びズムーリング７の回転により、上記した対応ガイド機構を介して実線のワイド位置から想像線のテレ位置まで光軸方向へ可動される。また、カメラ本体４０にボードマウント５６を介して組み付けられる。これらは従来とほぼ同じである。しかし、バックフォーカス調整において、従来構造では、カメラ本体４０への取付過程等で上記したオーバーインフを確認し、オーバーインフを満たさない場合は図６（ａ）のような隙間Ｌを間隔調整しなければならなかった。これに対し、以上のバリフォーカルレンズ１は、図１のようにカメラ本体４０にボードマウント５６を介して取り付けて固定した後、オーバーインフを満たさない場合の修正を行うことができる。これは、例えば、オーバーインフを満たさないものをストックしておき、後でまとめて修正作業するとを可能にし、カメラ組立又はレンズ取付工程上の制約を緩和し、作業改善及びコスト低減化に寄与できることを意味している。
【００２１】
図５は本発明の修正作動を模式化し、同（ａ）は偏芯ピンと溝部との作動関係を示し、同（ｂ）は後レンズ群、後筒部、ズムーリング及び偏芯ピンとの作動関係を示している。
（ア）、まず、同（ａ）において、偏芯ピン１０は、上記したズームリング７側第１窪み部３８ａ内で板ばね１５により弾性保持され、又、凹凸部１３，３９同士の噛み合いを介しクリック的に所定角度づつ回転される。ここでは、例えば、左上図のごとく、偏芯ピン１０が先端軸部１２を頭部１１の片側半分に突出していること、１回転される間に前記凹凸部を介し４箇所つまり９０度毎にクリック的に係合保持（クリック嵌合）される（実際は８回以上、つまり４５度以下の定角度毎にクリック嵌合される）こと、先端軸部１２が後筒部３側溝部３８の一方の当て付け端面３８ａに当たっていると仮定する。このケースでは、偏芯ピン１０を９０度回転すると、先端軸部１２が左上から右上図のごとく位置（筒周方向の位置ｙ寸法）を変えて、当て付け端面３５ａに対し異なる箇所で当接する。すなわち、この構造では、偏芯ピン１０が回転されると、先端軸部１２が対応端面３５ａと当たる箇所を変更する。
（イ）、ここで、前記ｙ寸法は、ワイド方向に最大であり、同様に偏芯ピン１０が右上から更に同方向へ１８０度回転されたときにテレ方向で最大となる。この例では、先端軸部１２が直径ｘの１／２分だけ筒周方向へ位置を変更したことになる。具体的には、例えば、先端軸部１２の直径ｘが１．５ｍｍすると、偏芯ピン１０が４箇所でクリック嵌合する態様だと左右対称になっているため１クリック回転毎に概略１．５／２ｍｍづつ、同様に、８箇所でクリック嵌合する態様だと１クリック回転毎に概略１．５／４ｍｍというように、前記ｙ寸法を小さく設定できる。なお、偏芯ピン１０は、回転後も板ばね１５による弾性保持及凹凸部１３，３９の嵌合により不用意に回転されない。このため、この構造では、例えば、バックフォーカス調整として、オーバーインフを左側又は右側の状態で充足したとすると、その状態が維持されて上下に示したワイド及びテレ位置として確定される。
【００２２】
（ウ）、同（ｂ）において、後レンズ群５は後筒部３に対し上記したガイド機構を介しズムーリング７の回転により可動される。ここで、左図は組立後のバリフォーカルレンズ１で、図１のカメラ本体４０にボードマウント５６を介し取り付けられた状態（組立後のワイド位置）と仮定する。この構造では、オーバーインフを満たしているか否かが確認され、満たしていない場合は次の修正作業によりオーバーインフを充足させる。修正要領は、例えば、ドライバー７１等を偏芯ピン頭部１１の嵌合溝１１ａに係止して、偏芯ピン１０を１クリックだけ回転する。すると、上記した（ａ）左から右図の状態となる。同（ｂ）はそのときのズームリング７及び後レンズ群５の作動を示している。この例では、ズームリング７が前記ｙ寸法だけ左図の矢印つまり筒周方向へ平行回転され、後レンズ群５がその回転に伴って右図のように前方へ動く。後レンズ群５の可動量は、偏芯ピン１０の回転運動を対応突き当て端面３５ａに対する先端軸部１２の位置変位として変換する関係で、例えば０．２５ｍｍ程度と小さくできる。これにより、この構造では、設計上のオーバーインフを充足するまで以上の操作い、次にテレ位置で同様に確認及び必要に応じ修正されることになる。
【００２３】
なお、本発明は、上記した形態に何ら制約されるものではない。本発明は、請求項１で特定される要件を備えておればよく、細部についてはこの形態例をベースにして種々変形できるものである。
【００２４】
【発明の効果】
以上説明したとおり、本発明のバリフォーカルレンズは、バックフォーカス調整時のオーバーインフを充足させる修正作業をズームリング側に保持されている偏芯ピンの回転操作により後レンズ群を光軸方向へ定量づつ動かしながら確実かつ迅速に行うことができ、又、カメラ本体側ボードマウントに取り付けた後に修正可能なことから組立手順の制約を緩和して設計及び組立上の自由度を拡大できる等の効果を有している。
【図面の簡単な説明】
【図１】形態例のバリフォーカルレンズをカメラ本体と共に示す図である。
【図２】上記バリフォーカルレンズの半断面図である。
【図３】上記バリフォーカルレンズを分解した模式構成図である。
【図４】上記バリフォーカルレンズの要部を示す図である。
【図５】上記バリフォーカルレンズの要部作動を説明するための図である。
【図６】従来の問題を説明するための図である。
【符号の説明】
１…バリフォーカルレンズ
２…鏡筒の前筒部（２３は案内溝）
３…鏡筒の後筒部（３２は案内溝）
４…前レンズ群（２９ａは軸）
５…後レンズ群（２９ｂは軸）
６…フォーカスリング（３７は案内溝）
７…ズームリング（３８は配置部、３８ａ，３８ｂは窪み部、３９は凹凸部）
１０…偏芯ピン（１１は頭部、１２は先端軸部、１３は凹凸部）
１５…板ばね（１６は基端側部分、１７は開口を形成している部分）
３５…溝部（３５ａは突き当て端面）
４０…カメラ本体（４２は回路基板、４４は撮像素子）
５６…ボードマウント
【図１】
2005043494.tif 000003
【図２】
2005043494.tif 000004
【図３】
2005043494.tif 000005
【図４】
2005043494.tif 000006
【図５】
2005043494.tif 000007
【図６】
2005043494.tif 000008